(57)【特許請求の範囲】
【請求項１】
釣り糸の巻き取り及び繰り出しを行う釣り用リールであって、
リール本体と、
前記リール本体に回転自在に支持された糸巻き用のスプールと、
前記スプールの回転数及び回転方向を検出するスプールセンサと、
前記スプールセンサにより検出された前記スプールの前記釣り糸繰り出し方向の回転数を基にして釣り糸繰り出し速度を算出する釣り糸繰り出し速度算出手段と、
前記リール本体に設けられ各種の情報を表示する表示部と、
前記釣り糸が繰り出されているとき、前記釣り糸繰り出し速度算出手段により算出された前記釣り糸繰り出し速度を前記表示部に表示する釣り糸繰り出し速度表示手段と、
前記スプールを回転させるモータと、
前記モータの出力値を設定するモータ出力値設定手段と、
前記モータ出力値設定手段により設定された前記モータの出力値に応じて前記モータを駆動制御するモータ駆動制御部と、
前記モータにより前記釣り糸が巻き上げられているとき、前記モータ出力設定手段により設定された前記モータの出力値を前記釣り糸繰り出し速度に代えて前記表示部に表示するモータ出力値表示手段と、を備え、
前記釣り糸繰り出し速度表示手段は、前記釣り糸繰り出し速度を所定の速度範囲が所定の段数となるように設定した段数で表示し、
前記所定の速度範囲は、前記モータの出力段階に応じた巻き上げ速度を基準として設定されている、釣り用リール。
【請求項２】
前記表示部は、複数セグメントの数値表示部を有し、
前記釣り糸繰り出し速度表示手段は、段数を数値表示する、請求項１に記載の釣り用
リール。
【請求項３】
前記スプールセンサにより前記スプールの前記釣り糸繰り出し方向の回転が所定時間以上検出されなかったときに開始され、経過時間を計測するタイマ手段と、
前記タイマ手段により計測された前記経過時間を前記釣り糸繰り出し速度に代えて前記表示部に表示するタイマ表示手段と、をさらに備えている、請求項１又は２に記載の釣り用リール。
【請求項４】
前記釣り糸繰り出し速度表示手段は、前記モータ出力値表示手段と異なる表示を行う、請求項１から３のいずれか１項に記載の釣り用リール。
【請求項５】
前記釣り糸繰り出し速度表示手段は、前記釣り糸繰り出し速度を点滅表示する、請求項４に記載の釣り用リール。
【請求項６】
前記釣り糸繰り出し速度表示手段は、前記釣り糸繰り出し速度をカラー表示する、請求項４又は５に記載の釣り用リール。
【発明の詳細な説明】
【技術分野】
【０００１】
本発明は、釣り用リール、特に、釣り糸の巻き取り及び繰り出しを行う釣り用リールに関する。
【背景技術】
【０００２】
一般に、釣り用リールは、リール本体と、リール本体に装着されたスプールと、スプールを回転させるハンドルと、リール本体の上面に装着されたカウンタケースとを有している。カウンタケースの上面には、水深表示用の表示部と、各種の入力を行うスイッチ操作部とを有している。表示部は、たとえばセグメント方式やドットマトリックス方式の液晶ディスプレイであり、棚位置や現在の仕掛けの水深等を表示することができる。
【０００３】
このような釣り用リールでは、糸巻き上げ時のスプールの回転をモータで行うことのできる電動リールでは、釣り糸が繰り出される糸送りモードであるときに、モータの段数（モータ出力レベル値）を表示部に表示させたものが知られている（たとえば、特許文献１参照）。この種の釣り用リールでは、釣り糸が繰り出されているときにモータの段数（モータ出力レベル値）が表示されているので、釣人は釣り糸繰り出し停止後にモータで釣り糸を巻き上げるときの釣り糸巻き上げ速度を把握することができる。
【先行技術文献】
【特許文献】
【０００４】
【特許文献１】特開２００５−１７６７０２号公報
【発明の概要】
【発明が解決しようとする課題】
【０００５】
前記従来の釣り用リールは、釣り糸が繰り出されているときにモータの段数が表示されているので、釣人は釣り糸繰り出し停止後にモータで釣り糸を巻き上げるときの釣り糸巻き上げ速度を把握することができるが、釣り糸繰り出しているときには、特に、糸送りをしてさそい動作を繰り返す釣りをしているときには、釣人は魚等がヒットしたときの釣り糸が繰り出されているときの状態を正確に把握することができないといった問題がある。
【０００６】
本発明の課題は、釣り用リールにおいて、釣り糸が繰り出されているときの状態を正確に把握できるようにすることにある。
【課題を解決するための手段】
【０００７】
発明１に係る釣り用リールは、釣り糸の巻き取り及び繰り出しを行う釣り用リールであって、リール本体と、スプールと、スプールセンサと、釣り糸繰り出し速度算出手段と、表示部と、釣り糸繰り出し速度表示手段と、モータと、モータ出力値設定手段と、モータ駆動制御部と、モータ出力値表示手段と、を備えている。スプールは、リール本体に回転自在に支持された糸巻き用のものである。スプールセンサは、スプールの回転数及び回転方向を検出する。釣り糸繰り出し速度算出手段は、スプールセンサにより検出されたスプールの釣り糸繰り出し方向の回転数を基にして釣り糸繰り出し速度を算出する。表示部は、リール本体に設けられ、各種の情報を表示する。釣り糸繰り出し速度表示手段は、釣り糸が繰り出されているとき、釣り糸繰り出し速度算出手段により算出された釣り糸繰り出し速度を表示部に表示する。モータは、スプールを回転させるものである。モータ出力値設定手段は、モータの出力値を設定する。モータ駆動制御部は、モータ出力値設定手段により設定されたモータの出力値に応じてモータを駆動制御する。モータ出力値表示手段は、モータにより釣り糸が巻き上げられているとき、モータ出力設定手段により設定されたモータの出力値を釣り糸繰り出し速度に代えて表示部に表示する。釣り糸繰り出し速度表示手段は、釣り糸繰り出し速度を所定の速度範囲が所定の段数となるように設定した段数で表示する。所定の速度範囲は、モータの出力段階に応じた巻き上げ速度を基準として設定されている。
【０００８】
この釣り用リールでは、釣り糸繰り出し速度表示手段は、釣り糸繰り出し速度を表示するようになっているので、釣人は魚等がヒットしたときの釣り糸が繰り出されているときの釣り糸繰り出し速度を把握できるので、釣り糸が繰り出されているときの状態を正確に把握できる。
【０００９】
また、モータにより釣り糸が巻き上げられているとき、モータ出力設定手段により設定されたモータの出力値を釣り糸繰り出し速度に代えて表示部に表示するようになっているので、表示領域を広げることなく釣人が必要とする情報を表示させることができる。
【００１０】
さらに、釣人は釣り糸繰り出し速度を段数で感覚的に把握できる。
【００１１】
さらにまた、釣人が釣り糸繰り出し速度の程度を感覚的に把握しやすくなる。特に、速度モードを有する電動リールでは、各段階に速度範囲が設定されているので、そのテーブルを共用することで余分な数値を記憶する必要がなくなる。
【００１２】
発明２に係る釣り用リールは、発明１に記載の釣り用リールにおいて、表示部は、複数セグメントの数値表示部を有し、釣り糸繰り出し速度表示手段は、段数を数値表示する。
【００１３】
発明３に係る釣り用リールは、発明１又は２の釣り用リールにおいて、タイマ手段と、タイマ表示手段とをさらに備えている。タイマ手段は、スプールセンサによりスプールの釣り糸繰り出し方向の回転が所定時間以上検出されなかったときに開始され、経過時間を計測する。タイマ表示手段は、タイマ手段により計測された経過時間を釣り糸繰り出し速度に代えて表示部に表示する。この場合、タイマ手段により計測された経過時間を釣り糸繰り出し速度に代えて表示部に表示するようになっているので、表示領域を広げることなく釣人が必要とする情報を表示させることができる。
【００１４】
発明３に係る釣り用リールは、発明１又は２の釣り用リールにおいて、釣り糸繰り出し速度表示手段は、モータ出力値表示手段と異なる表示を行う。この場合、モータ出力値の表示と釣り糸繰り出し速度の表示を即座に識別することができる。
【００１５】
発明４に係る釣り用リールは、発明３の釣り用リールにおいて、釣り糸繰り出し速度表示手段は、釣り糸繰り出し速度を点滅表示する。この場合、他の表示部分を点灯表示し、釣り糸繰り出し速度を点滅表示することにより、釣り糸繰り出し速度の視認性を向上できる。
【００１６】
発明５に係る釣り用リールは、発明３又は４の釣り用リールにおいて、釣り糸繰り出し速度表示手段は、釣り糸繰り出し速度をカラー表示する。この場合、釣り糸繰り出し速度を他の表示部分と異なる色でカラー表示することにより、釣り糸繰り出し速度の視認性を向上できる。
【発明の効果】
【００１７】
本発明によれば、釣り用リールにおいて、釣り糸繰り出し速度表示手段は、釣り糸繰り出し速度を表示するようになっているので、釣り糸が繰り出されているときの状態を正確に把握できる。
【図面の簡単な説明】
【００１８】
【図１】本発明の一実施形態が採用された釣り用リールの斜視図。
【図２】前記釣り用リールの側面断面図。
【図３】前記釣り用リールのカウンタケースの平面図。
【図４】前記カウンタケースの表示部の拡大平面図。
【図５】経過時間を点滅表示しているときの図５に相当する図。
【図６】前記釣り用リールの制御系の構成を示すブロック図。
【図７】前記釣り用リールの表示制御処理を示すフローチャート。
【発明を実施するための形態】
【００１９】
本発明の一実施形態を採用した電動リールは、図１及び図２に示すように、外部電源から供給された電力によりモータ駆動される大型の電動リールであって、糸繰り出し長さ又は糸巻き取り長さに応じて仕掛けの水深を表示する水深表示機能を有する電動リールである。
【００２０】
電動リールは、釣竿に装着可能なリール本体１と、リール本体１の側方に配置されたスプール１０の回転用のハンドル２と、ハンドル２のリール本体１側に配置されたドラグ調整用のスタードラグ３と、本発明の一実施形態による水深表示用のカウンタケース４とを主に備えている。
【００２１】
リール本体１は、フレーム７と、フレーム７の左右を覆う第１側カバー８ａ及び第２側カバー８ｂと、フレーム７の前部を覆う前カバー９（図２参照）とを有している。フレーム７は、たとえば、ガラス繊維を含浸したポリアミド樹脂等の合成樹脂製であり、第１側板７ａ及び第２側板７ｂと、それらを下部、後部及び前上部の３箇所で連結する複数の連結部材７ｃとを有している。
【００２２】
リール本体１の内部には、モータ１２及びハンドル２に連結された糸巻き用のスプール１０が回転自在に支持されている。スプール１０の内部に、スプール１０を糸巻き取り方向に回転駆動するモータ１２が配置されている。また、リール本体１の内部には、スプール１０に連動して動作するレベルワインド機構１３（図２参照）やハンドル２及びモータ１２の回転をスプール１０に伝達する図示しない回転伝達機構等が設けられている。回転伝達機構に設けられた図示しない遊星歯車機構にモータ１２が連結されている。
【００２３】
ハンドル２側の第２側カバー８ｂの中央下部には、図１に示すように、ハンドル２が回転自在に支持されている。また、ハンドル２の支持部分の上方前部には、モータ１２を複数段階に制御するための調整レバー５が揺動自在に支持されている。調整レバー５の後方には、クラッチ操作部材１１が揺動自在に配置されている。クラッチ操作部材１１は、ハンドル２及びモータ１２とスプール１０との駆動伝達をオン、オフする図示しないクラッチをオン、オフ操作するための部材である。このクラッチをオンすると、仕掛けの自重による糸繰り出し中に、糸繰り出し動作を停止できる。ハンドル２と逆側の第１側カバー８ａには、電源ケーブル接続用のコードコネクタ１４が下向きに装着されている。
【００２４】
前カバー９には、図２に示すように、釣り糸通過用の横長の開口９ａが形成されている。下部の連結部材７ｃには、電動リールを釣竿に装着するための竿装着脚部７ｄが形成されている。
【００２５】
リール本体１の第１側板７ａ及び第２側板７ｂの上部に、図１及び図２に示すように、釣り糸の先に装着された仕掛けの水深を表示するカウンタケース４が固定されている。
【００２６】
カウンタケース４は、図２及び図３に示すように、リール本体１の前上部に載置されており、リール本体１の第１側板７ａ及び第２側板７ｂに固定されている。カウンタケース４の上面部には、液晶ディスプレイを有する表示部６２が設けられ、カウンタケース４の内部には、各種の制御を行う制御部６３（図６参照）を備えている。
【００２７】
また、表示部６２の後方には、図３に示すように、寸動巻き上げスイッチＳＷ１、モード切り換えスイッチＳＷ２及び０セットスイッチＳＷ３が配置されている。
【００２８】
寸動巻き上げスイッチＳＷ１は、スイッチ操作をしている間だけモータ１２を駆動し釣り糸を少しだけ巻き上げるためのスイッチである。この寸動巻き上げスイッチＳＷ１を３秒以上長押しすると、寸動巻き上げ速度を変更するモードに移行し、後述する表示部６２のタイマ速度表示領域６２ｃに現在の寸動巻き上げ速度が点滅表示される。そして、調整レバー５の前後方向の揺動操作又はモード切り換えスイッチＳＷ２の押圧操作の回数によって、寸動巻き上げ速度を増減し、０セットスイッチＳＷ３を操作することによって、寸動巻き上げ速度が設定され、タイマ速度表示領域６２ｃが点灯表示になる。なお、この寸動巻き上げスイッチＳＷ１は、調整レバー５の操作によってモータ１２がオン状態にされたときや、さそい巻き上げを行っているときや、船縁停止位置まで巻き上げたときには、操作が無効になっている。ここでは、寸動巻き上げスイッチＳＷ１の操作によってモータ１２を停止させることがないので、魚等とやりとりしているときに、釣人が不用意に寸動巻き上げスイッチＳＷ１に触れてモータ１２を停止させ、魚等がばれてしまうのを防止できる。また、船縁停止位置で寸動巻き上げスイッチＳＷ１の操作が無効になっているので、釣人が不用意に寸動巻き上げスイッチＳＷ１に触れてモータ１２を駆動させ、仕掛けを穂先に巻き込んでしまうのを防止できる。
【００２９】
モード切り換えスイッチＳＷ２は、モードを切り換えるためのスイッチである。モード切り換えスイッチＳＷ２を操作する毎に上からモード（仕掛けの水深を水面からの深さで表示するモード）と、底からモード（仕掛けの水深を水底からの水深で表示するモード）とに切り換える。また、モード切り換えスイッチＳＷ２を３秒以上長押しすると、長押しの都度、モータ１２の制御モードを速度モードと、張力モードとに切り換えできる。ここで、速度モードは、調整レバー５の揺動角度に応じてスプール１０の回転速度の上限速度を３１段階に多段速度制御可能なモードである。張力モードは、釣り糸に作用する張力の上限張力を３１段階に多段張力制御可能なモードである。なお、両モードとも、最高段階の３１段階は、１００％デューティでモータ１２を動作させる速巻速度であり、電流制限は行うが、速度制御は行わない。
【００３０】
０セットスイッチＳＷ３は、３秒以上操作すると、カウンタを０にリセットするためのスイッチである。
【００３１】
表示部６２は、図３及び図４に示すように、上側中央に配置された３桁表示の水深表示領域６２ａと、その右下方に配置された３桁表示のメモ水深表示領域６２ｂと、水深表示領域６２ａの左下方に配置された２桁表示のタイマ速度表示領域６２ｃとを有している。表示部６２のタイマ速度表示領域６２ｃの上方には「通信中」を表す図形、底からモードを表す「底」の文字、速度モードを表す「速」の文字、「バッテリ状態」を表す図形及びさそいモードを表す「さそい」の文字が表示されている。
【００３２】
タイマ速度表示領域６２ｃは、図５に示すように、スプール１０の釣り糸繰り出し方向の回転が検出されているとき（釣り糸が繰り出されているとき）は、釣り糸繰り出し速度（スプール１０の回転速度）を演算して得られた速度単位系の数値を表示し、スプール１０の釣り糸繰り出し方向の回転が所定時間以上検出されなかったとき（スプール１０の釣り糸繰り出し方向の回転が停止したとき）にモータ１２の駆動により釣り糸を巻き上げていないとき（モータ１２が停止したときやハンドル２による手巻きをしているとき）は、釣り糸繰り出し速度に代えて経過時間を０、１、２のように１分単位で表示し、モータ１２の駆動により釣り糸を巻き上げているときは、釣り糸繰り出し速度や経過時間に代えて経過時間が表示されていた表示領域に、モータ１２の速度である調整レバー５の位置（段数）を、たとえば、３１段階で表示する。タイマ速度表示領域６２ｃでは、モータ１２の駆動により釣り糸を巻き上げているときは、モータ１２の速度である調整レバー５の位置（段数）を優先して表示させ、スプール１０の釣り糸繰り出し方向の回転が検出されているとき（釣り糸が繰り出されているとき）でも釣り糸繰り出し速度（スプール１０の回転速度）を表示させないようになっている。また、タイマ速度表示領域６２ｃでは、釣り糸繰り出し速度（スプール１０の回転速度）を優先して表示させ、経過時間を表示させないようになっている。タイマ速度表示領域６２ｃでは、釣り糸繰り出し速度や経過時間を他の表示部分と異なる色で１秒毎に点滅表示し、モータ１２の速度である調整レバー５の位置（段数）を他の表示部分と同様に点灯表示するようになっている。
【００３３】
制御部６３は、図６に示すように、機能構成としてモータ１２を制御するモータ制御部６０と、表示部６２を制御する表示制御部６１とを有している。モータ制御部６０は、モータ１２をＰＷＭ制御する。
【００３４】
制御部６３には、寸動巻き上げスイッチＳＷ１、モード切り換えスイッチＳＷ２及び０セットスイッチＳＷ３が接続されている。また、制御部６３には、表示部６２と、スプール１０の回転速度及び回転方向を検出するためのスプールセンサ６４と、ブザー６５と、モータ１２をＰＷＭ駆動するＦＥＴを含むモータ駆動回路６６と、タイマ６７とが接続されている。
【００３５】
モータ駆動回路６６は、調整レバー５及び寸動巻き上げスイッチＳＷ１の操作に応じてモータ１２の駆動を制御する。モータ駆動回路６６は、予め設定した仕掛けが穂先の手前に位置する船縁停止位置でモータ１２の駆動を停止させる制御を行うようになっている。
【００３６】
タイマ６７は、経過時間を計測するタイマであって、スプール１０の釣り糸繰り出し方向の回転が所定時間以上検出されなかったとき、すなわち、スプール１０の釣り糸繰り出し方向の回転が停止したときにタイマ６７が自動的に開始されるようになっている。また、タイマ６７は、モータ駆動回路６６が予め設定した仕掛けが穂先の手前に位置する船縁停止位置でモータ１２の駆動を停止させる制御を行ったとき、経過時間の計測を停止しかつ経過時間を初期状態にリセットするようになっている。
【００３７】
次に、制御部６３の表示制御部６１によって行われる表示制御処理を図７に示す制御フローチャートに従って説明する。
【００３８】
まず、電動リールの電源がオンされ、水深表示を「０」にしたり、各種のフラグをリセットする初期設定が行われた状態で開始される。そして、釣り糸が繰り出しを開始後において、図７に示すステップＳ１において、糸繰り出し方向の回転停止が検出されたか否かを判断する。具体的には、ステップＳ１では、スプールセンサ６４によって糸操出方向の回転が所定時間以上（たとえば、１秒以上）検出されなかったとき、糸繰り出し方向の回転が停止したと判断する。なお、ステップＳ１では、糸ふけをとったり、棚位置を調節するために、ハンドル２によってスプール１０が糸巻き上げ方向に回転しても、糸操り出し方向の回転は検出されなかったことになる。ステップＳ１において、糸繰り出し方向の回転が停止していない（釣り糸が繰り出されている）と判断されたとき、ステップＳ２へ移行し、糸繰り出し方向の回転が停止したと判断されたとき、ステップＳ５へ移行する。ステップＳ２では、釣り糸繰り出し速度の算出を行い、ステップＳ５では、経過時間を計測する。
【００３９】
ステップＳ２では、図７に示す釣り糸繰り出し速度算出処理を行う。ステップＳ２では、制御部６３によってスプール１０の釣り糸繰り出し方向の回転が検出されているとき（釣り糸が繰り出されているとき）の釣り糸繰り出し速度（スプール１０の回転速度）を演算して得られた速度単位系の数値データを図示しない記憶部に記憶し、ステップＳ３に移行する。ステップＳ３では、図７に示す釣り糸繰り出し速度読み出し処理を行う。ステップＳ３では、記憶部に記憶された釣り糸繰り出し速度（スプール１０の回転速度）の数値データを読み出し、ステップＳ４に移行する。ステップＳ４では、図７に示す釣り糸繰り出し速度表示処理を行う。ステップＳ４では、読み出された釣り糸繰り出し速度（スプール１０の回転速度）の数値を表示部６２のタイマ速度表示領域６２ｃに表示する。
【００４０】
ステップＳ５では、図７に示す経過時間計測処理を行う。ステップＳ５では、糸繰り出し方向の回転が停止したと判断されたとき、タイマ６７が開始され、ステップＳ６へ移行する。
【００４１】
ステップＳ６では、モータ１２の駆動により釣り糸を巻き上げているか否かを判断する。具体的には、モータ駆動回路６６がモータ１２を釣り糸巻き上げ方向に駆動しているか否かを判断する。ステップＳ６において、モータ１２の駆動により釣り糸を巻き上げていると判断されたとき、ステップＳ７へ移行し、モータ１２の駆動により釣り糸を巻き上げていないと判断されたとき、ステップＳ９へ移行する。
【００４２】
ステップＳ７では、図７に示すモータ出力値読み出し処理を行う。ステップＳ７では、モータ駆動回路６６がモータ１２を釣り糸巻き上げ方向に駆動しているときのモータ１２の速度である調整レバー５の位置（段数）の数値データを読み出し、ステップＳ８に移行する。ステップＳ８では、図７に示すモータ出力値表示処理を行う。ステップＳ８では、読み出されたモータ１２の速度である調整レバー５の位置（段数）を表示部６２のタイマ速度表示領域６２ｃに表示する。
【００４３】
ステップＳ９では、図７に示す経過時間読み出し処理を行う。ステップＳ１０では、スプール１０の釣り糸繰り出し方向の回転が所定時間以上検出されなかったとき（スプール１０の釣り糸繰り出し方向の回転が停止したとき）にモータ１２の駆動により釣り糸を巻き上げていないとき（モータ１２が停止したときやハンドル２による手巻きをしているとき）の経過時間の数値データを読み出し、ステップＳ１０に移行する。ステップＳ１０では、図７に示す経過時間表示処理を行う。ステップＳ１０では、読み出された経過時間を表示部６２のタイマ速度表示領域６２ｃに表示する。
【００４４】
このような構成の釣り用リールでは、釣り糸を繰り出すときには、クラッチ操作部材１１を手前（後方）に操作することによりクラッチをオフする。クラッチオフすると、スプール１０が自由回転状態になり、釣り糸に装着された重りの自重により釣り糸がスプール１０から繰り出される。釣り糸が繰り出されるとスプール１０が糸繰り出し方向に回転し、スプールセンサ６４の検出パルスにより液晶ディスプレイの水深表示が繰り出し量に応じて変化する。仕掛けが棚に到達すると、ハンドル２を糸巻き取り方向に回して図示しないクラッチ戻し機構によりクラッチをオンして釣り糸の繰り出しを停止する。
【００４５】
魚等の当たりがあると、調整レバー５を操作し釣り糸を巻き上げる。調整レバー５を図１時計回りに揺動させると、その揺動角度に応じてスプール１０の回転速度又は釣り糸に作用する張力の最大値を段階的に設定できる。
【００４６】
このような釣り用リールでは、表示部６２のタイマ速度表示領域６２ｃには、釣り糸繰り出し速度を表示するようになっているので、釣人は魚等がヒットしたときの釣り糸が繰り出されているときの釣り糸繰り出し速度を把握できるので、釣り糸が繰り出されているときの状態を正確に把握できる。
【００４７】
〔他の実施形態〕
（ａ）  前記実施形態では、モータ１２によりスプール１０を回転させる電動リールを例にあげて説明したが、仕掛けの水深を表示する表示部６２を有するカウンタリールであってもよい。
【００４８】
（ｂ）  前記実施形態では、タイマ速度表示領域６２ｃは、釣り糸繰り出し速度や経過時間を点滅表示させたり、釣り糸繰り出し速度や経過時間をカラー表示させたりしていたが、釣り糸繰り出し速度や経過時間をモータ１２の速度である調整レバー５の位置（段数）と異なる表示を行う構成であれば、このパターンに限定されるものではなく、点滅表示またはカラー表示の一方のみを行うようにしてもよい。ここでは、釣り糸繰り出し速度や経過時間の表示とモータ１２の速度の表示を即座に識別することができる。
【００４９】
（ｃ）  前記実施形態では、タイマ速度表示領域６２ｃは、モータ１２の速度を段数で表示していたが、モータ１２の実際の速度を演算して得られた速度単位系の数値で表示する構成にしてもよい。また、タイマ速度表示領域６２ｃは、釣り糸繰り出し速度を演算して得られた速度単位系の数値で表示していたが、釣り糸繰り出し速度をモータ１２の出力段階に応じた巻き上げ速度を基準とした所定の速度範囲が所定の段数となるように設定した段数で表示する構成にしてもよい。ここでは、各段階に速度範囲が設定されているので、そのテーブルを共用することで余分な数値を記憶する必要がなくなる。
【００５０】
（ｄ）  前記実施形態では、ステップＳ５では、糸繰り出し方向の回転が停止した時点から、タイマ６７が開始されていたが、糸繰り出し方向の回転が停止してから所定時間以内に糸巻き上げ方向の回転が検出された場合には、糸巻き上げ方向の回転が検出された時点からタイマ６７を開始する構成にしてもよい。
【符号の説明】
【００５１】
１  リール本体
２  ハンドル
３  スタードラグ
４  カウンタケース
５  調整レバー
７  フレーム
７ａ  第１側板
７ｂ  第２側板
７ｃ  連結部材
７ｄ  竿装着脚部
８ａ  第１側カバー
８ｂ  第２側カバー
９  前カバー
９ａ  開口
１０  スプール
１１  クラッチ操作部材
１２  モータ
１３  レベルワインド機構
１４  コードコネクタ
６０  モータ制御部
６１  表示制御部
６２  表示部
６２ａ  水深表示領域
６２ｂ  メモ水深表示領域
６２ｃ  タイマ速度表示領域
６３  制御部
６４  スプールセンサ
６５  ブザー
６６  モータ駆動回路
６７  タイマ
ＳＷ１  寸動巻き上げスイッチ
ＳＷ２  モード切り換えスイッチ
ＳＷ３  ０セットスイッチ
【図１】
0005616247.tif 000002
【図２】
0005616247.tif 000003
【図３】
0005616247.tif 000004
【図４】
0005616247.tif 000005
【図５】
0005616247.tif 000006
【図６】
0005616247.tif 000007
【図７】
0005616247.tif 000008